(57)【要約】【課題】  幼い子供であっても気軽に楽しめる家庭用クレーンゲーム機を提供する。【解決手段】  家庭用クレーンゲーム機１０は、回動支点周りに回動自在に設けられる第１アーム４２及び第２アーム４３と、回動支点に対して一方側の第１アーム４２及び第２アーム４３の端部分と回動可能に接続されて、景品当接部４１及び係合部を備えるアーム作動杆４４と、第１アーム４２及び第２アーム４３が開く方向にアーム作動杆４４を付勢する弾性部材と、第１アーム４２及び第２アーム４３が閉じたときに段差部４４ｂ３と係合する被係合部と、を有し、第１アーム４２及び第２アーム４３は、景品当接部４１が景品８０と当接するアーム作動杆４４を介して閉じる方向に動作する。【選択図】図１
2018102810.tif 000002
【特許請求の範囲】
【請求項１】
回動支点周りに回動自在に設けられるアームと、
前記回動支点に対して一方側の前記アームの端部分と回動可能に接続されて、景品当接部及び係合部を備えるアーム作動杆と、
前記アームが開く方向に前記アーム作動杆を付勢する弾性部材と、
前記アームが閉じたときに前記係合部と係合する被係合部と、
を有し、
前記アームは、前記景品当接部が景品と当接すると前記アーム作動杆を介して閉じる方向に動作することを特徴とする家庭用クレーンゲーム機。
【請求項２】
前記アーム作動杆は、前記係合部と前記被係合部との係合を解除する係合解除部を有することを特徴とする請求項１に記載の家庭用クレーンゲーム機。
【請求項３】
前記アームは、第１アームと第２アームと、を備え、
前記アーム作動杆は、ピンを介して前記第１アーム及び前記第２アームと回動自在に接続されることを特徴とする請求項１又は請求項２に記載の家庭用クレーンゲーム機。
【請求項４】
前記被係合部は、前記アーム作動杆を収容するケースに形成されることを特徴とする請求項１乃至請求項３の何れか記載の家庭用クレーンゲーム機。
【請求項５】
前記係合部及び前記被係合部は、共に部材の段差により形成されることを特徴とする請求項１乃至請求項４の何れか記載の家庭用クレーンゲーム機。
【請求項６】
前記アーム作動杆は、水平板と、前記水平板の一方側の端部から垂直に立設する一方側垂直板と、前記水平板の他方側の端部から垂直に立設する他方側垂直板と、を備え、
前記係合部は、前記アーム作動杆の前記一方側垂直板の一方側に突出して形成され、
前記被係合部は前記アーム作動杆を収容するケースの前記一方側垂直板と対向して形成される段差であり、
前記係合解除部は突起状に形成されるとともに、前記係合解除部と当接可能な解除壁により前記係合部と前記被係合部の係合が解除されることを特徴とする請求項２に記載の家庭用クレーンゲーム機。
【請求項７】
前記被係合部は前記ケースに横長に開けられた横長開口部であり、
前記係合解除部は、前記横長開口部から下方に延びる縦長開口部にガイドされて、
前記係合部は、前記係合解除部の直上横長に突出して形成されることを特徴とする請求項６に記載の家庭用クレーンゲーム機。
【請求項８】
上面に景品載置部を備えるゲーム機本体と、
前記ゲーム機本体から垂直に延びて上下動及び回動自在に設けられる垂直フレームと、
前記垂直フレームから水平方向に延びる水平フレームと、
を有し、
前記ケースは、前記水平フレームから下方に形成されることを特徴とする請求項７に記載の家庭用クレーンゲーム機。
【発明の詳細な説明】
【技術分野】
【０００１】
本発明は、家庭用クレーンゲーム機に関する。
【背景技術】
【０００２】
従来から、ゲームセンターでよく見られるゲームとしてクレーンを制御して中の景品を取るクレーンゲームがある。このクレーンゲームは、クレーンゲーム機の内部に多くの景品が収納されており、遊技者はコインを投入し、横方向、縦方向の動作をボタンで制御して任意の位置でクレーンを停止させ、クレーンはこの位置でキャッチャーを開きながら下端まで降下し、この後キャッチャーを閉じながら上昇し、キャッチャーが上手く景品を掴むことができれば景品をもらえるというゲームである。
【０００３】
例えば、特許文献１には、Ｘ軸モータ可動信号を出力する第一ボタンと、Ｙ軸モータ可動信号を出力する第二ボタンと、制御装置を備えたメイン基板とを有する台座部と、台座部上に配置された透明で内部に景品を収納するための収納空間を有する収納部と、底面部が歯形に形成され底面部の側部に垂直に突出する立壁板を備えたキャッチャーと、キャッチャーのＸ軸、Ｙ軸及びＺ軸方向の可動を制御するクレーン本体とを有するクレーン部と、を備えた家庭用クレーンゲーム機が開示されている。
【先行技術文献】
【特許文献】
【０００４】
【特許文献１】特開２００８−９３１９４号公報
【発明の概要】
【発明が解決しようとする課題】
【０００５】
特許文献１に開示される家庭用クレーンゲーム機によれば、本格的なクレーンゲームを家庭で楽しむことができる。一方で、更に幼い子供であっても気軽に楽しめるクレーンゲーム機も望まれている。
【０００６】
本発明の目的は、幼い子供であっても気軽に楽しめる家庭用クレーンゲーム機を提供する。
【課題を解決するための手段】
【０００７】
本発明に係る家庭用クレーンゲーム機は、  回動支点周りに回動自在に設けられるアームと、前記回動支点に対して一方側の前記アームの端部分と回動可能に接続されて、景品当接部及び係合部を備えるアーム作動杆と、前記アームが開く方向に前記アーム作動杆を付勢する弾性部材と、前記アームが閉じたときに前記係合部と係合する被係合部と、を有し、前記アームは、前記景品当接部が景品と当接すると前記アーム作動杆を介して閉じる方向に動作する。
【発明の効果】
【０００８】
本発明によれば、電源が不要で、幼い子供であっても気軽に楽しめる家庭用クレーンゲーム機を提供することができる。
【図面の簡単な説明】
【０００９】
【図１】本発明の実施形態に係る家庭用クレーンゲーム機の全体斜視図である。
【図２】本発明の実施形態に係る家庭用クレーンゲーム機の全体分解斜視図である。
【図３】本発明の実施形態に係る家庭用クレーンゲーム機のカバーを省略し、ゲーム機本体の上面及び側面の一部を切り欠いた斜視図である。
【図４】本発明の実施形態に係る家庭用クレーンゲーム機のクレーン本体部のアームが開いた状態を示す正面図である。
【図５】本発明の実施形態に係る家庭用クレーンゲーム機のクレーン本体部のアームが閉じた状態を示す正面図である。
【図６】本発明の実施形態に係る家庭用クレーンゲーム機のクレーン本体部における図４のＶＩ−ＶＩ断面図である。
【図７】本発明の実施形態に係る家庭用クレーンゲーム機のクレーン本体部における図５のＶＩＩ−ＶＩＩ断面図である。
【図８】本発明の実施形態に係る家庭用クレーンゲーム機のクレーン本体部における、景品当接部材、アーム作動杆及びアームを除いた図６のＶＩＩＩ−ＶＩＩＩ断面図である。
【図９】本発明の実施形態に係る家庭用クレーンゲーム機のクレーン本体部における、景品当接部材、アーム作動杆及びアームを除いた図７のＩＸ−ＩＸ断面図である。
【発明を実施するための形態】
【００１０】
以下、図に基づいて本発明の実施形態を説明する。図１に示すように、家庭用クレーンゲーム機１０は、ゲーム機本体１１と、クレーン４０と、カバー１２を備える。家庭用クレーンゲーム機１０は、景品８０がゲーム機本体１１の上面に載置される。景品８０は分割可能なカプセルとされて、内部におもちゃ等を収納できる。
【００１１】
家庭用クレーンゲーム機１０の遊び方は、カバー１２の頂部に着脱自在に設けられる装飾用のプレート１３を取り外し、カバー１２の頂部の開口部１２ａから景品８０を投入すると、景品８０は、ゲーム機本体１１の上面に溝状に形成される景品載置部１１１に載置される。そして、回動レバー２１によりクレーン４０水平方向に回動させてアーム（第１アーム４２及び第２アーム４３）を景品８０に合わせる。そして昇降ボタン３１を押すと、クレーン４０が下降する。クレーン４０が下降して景品８０が景品当接部材４１に当接すると、第１アーム４２と第２アーム４３が閉じて景品８０がアームに保持される。クレーン４０が景品８０を保持した状態で、回動レバー２１によりクレーン４０を回動して係合解除部とされる突起４４ｂ２を解除壁１１２に当接すると、第１アーム４２及び第２アーム４３が開いて、景品排出穴１１３に景品８０が落ちて、景品排出口１４に景品８０が排出される。
【００１２】
次に、家庭用クレーンゲーム機１０の構成について説明する。ゲーム機本体１１は、略短円柱形状に形成される。図２に示すように、ゲーム機本体１１は、上本体１１０と下本体１２０とで構成される。上本体１１０の上面には、景品載置部１１１の一方側の端部に円筒形状に形成されて景品８０が落される景品排出穴１１３が形成される。景品排出穴１１３は、下本体１２０において屈曲した壁状に立設される景品排出ガイド１２７に接続され、景品８０を景品排出口１４に導く。そして、景品排出口１４における下本体１２０には、縁有の皿状に景品受け１２８が形成される。
【００１３】
景品排出穴１１３に対する景品載置部１１１と反対側の上本体１１０の上面には、解除壁１１２が立設する。解除壁１１２は、図１で良く表されるように、景品排出穴１１３を形成する略円筒の縁に接続して平板状に立設する壁部１１２ａと、壁部１１２ａの背面（換言すれば、係合解除部である突起４４ｂ２と反対側の面）から上本体１１０の上面縁に略沿って湾曲する板状の支持板１１２ｂで構成される。支持板１１２ｂの壁部１１２ａ側を一方側として他方側には、円筒ガイド１１８が支持板１１２ｂの他方側端に接続して形成される。円筒ガイド１１８には、クレーン４０における後述の垂直フレーム４５１が挿通される。
【００１４】
ゲーム機本体１１の内部には、クレーン４０を水平方向に回動する回動機構２０と、クレーン４０を昇降させる昇降機構３０が収容される。回動機構２０の回動レバー２１は、ツマミ部２１ａと円筒形状の支柱２１ｃが接続杆２１ｂにより接続される。ツマミ部２１ａ及び接続杆２１ｂの一部は、図１に示すように、ゲーム機本体１１における昇降ボタン３１と景品排出口１４との間における、下本体１２０が切り欠かれることにより形成される横長の開口部１５を介して外部に露出される。また、図２に示す回動レバー２１の支柱２１ｃは、上本体１１０のボス１１４（図３参照）と下本体１２０のボス１２１とにより上下端を回動自在に支持される。支柱２１ｃからはツマミ部２１ａと略反対側に横板状の連結杆２１ｄが延設される。連結杆２１ｄの下側は、縦板状の補強板２１ｅが設けられて補強されている。連結杆２１ｄには、上方に向けてボス２１ｄ１が立設される。ボス２１ｄ１は、回動連結杆２２の連結穴２２ａに挿入される。
【００１５】
回動連結杆２２は、円筒形状の支柱２２ｂから延設される略板状部材に連結穴２２ａが形成される。連結穴２２ａが形成される板状部材と略反対側には、略板状の連結杆２２ｃが形成されて、下方に向けて連結支柱２２ｃ１が立設する。回動連結杆２２の支柱２２ｂは、下本体１２０のボス１２２と、上本体１１０の内部で上面から立設される図示しないボスで上下端を回動自在に支持される。そして、連結支柱２２ｃ１は、フレーム固定部材２３の連結穴２３ａに挿入される。
【００１６】
フレーム固定部材２３は、円板状の固定本体２３ｂと、連結穴２３ａが設けられる略板状連結部が形成される。固定本体２３ｂには、後述の垂直フレーム４５１の下端の爪部４５ａ１，４５ｂ１がそれぞれ係止される穴部２３ｂ１，２３ｂ２が形成される。固定本体２３ｂの下面には、円筒形状の支柱２３ｃが下方に向けて立設する。下本体１２０のボス１２３と支柱２３ｃとの間には、弾性部材であるコイルスプリング４６が設けられる。
【００１７】
このようにして、回動機構２０は、回動レバー２１、回動連結杆２２、フレーム固定部材２３が連結されて形成される。
【００１８】
一方、昇降機構３０の昇降ボタン３１は、一部切り欠かれているスカート部３１ａが下方に形成されて、このスカート部３１ａ内には支柱３１ｂが下方に向けて立設している。支柱３１ｂは、シーソー杆３３の穴部３３ａに挿入される。図３に示すように、昇降ボタン３１の下方のシーソー杆３３と下本体１２０の支持柱１２４との間には、弾性部材であるコイルスプリング３２が設けられる。コイルスプリング３２の上部は、スカート部３１ａの内側に配置される。コイルスプリング３２により、シーソー杆３３の穴部３３ａが配置される端部及び昇降ボタン３１は上方に付勢される。なお、コイルスプリング３２は昇降ボタン３１を定常状態で上方限に移動させておくための補助的な弾性部材であり、コイルスプリング３２を省略した昇降機構３０でもクレーン４０の昇降動作を行うことができる。昇降ボタン３１は、上本体１１０のボタン穴１１５の外周が昇降ボタン３１の外周の段部３１ｃと係合することにより、上方への移動が規制される。
【００１９】
シーソー杆３３は、部分的に屈曲された略長板状に形成される。シーソー杆３３の略中央には、シーソー杆３３の短手方向両側に突出するように軸部３３ｂが形成される。軸部３３ｂは、下本体１２０から立設する軸支持部１２５と、上本体１１０から下方に延びる軸押え部１１６により回動自在に支持される。従って、シーソー杆３３は、軸部３３ｂを中心に搖動自在に設けられている。シーソー杆３３の穴部３３ａ側を一端側とする他端部３３ｃには、長手方向に沿って円柱形状の膨出部３３ｃ１が形成される。膨出部３３ｃ１の上面部分は、昇降作動部材３４の一端部３４ａ（膨出部３４ａ１）の下面部分と当接する。
【００２０】
昇降作動部材３４の略板状の一端部３４ａには、長手方向に沿って略円柱形状の膨出部３４ａ１が形成される。この膨出部３４ａ１とシーソー杆３３の膨出部３３ｃ１が当接することで、当接部分は線接触となる。一端部３４ａから略９０度に屈曲する他端には、二股状の係合爪部３４ｃが形成される。係合爪部３４ｃの下面は、側面視円弧状に膨出される。係合爪部３４ｃの基端には、両側に突出する軸部３４ｂが形成される。この軸部３４ｂは、下本体１２０から立設する軸支持部１２６と、上本体１１０から下方に延びる軸押え部１１７により回動自在に支持される。従って、昇降作動部材３４は、軸部３４ｂを中心に搖動自在に設けられている。係合爪部３４ｃ間には垂直フレーム４５１が配置されるとともに、係合爪部３４ｃの下面はフレーム固定部材２３の固定本体２３ｂの上面と当接される。このようにして、上方に付勢されるフレーム４５（垂直フレーム４５１）は、昇降作動部材３４（係合爪部３４ｃ）により上方への移動が規制される。
【００２１】
そして、昇降機構３０は、昇降ボタン３１、コイルスプリング３２、シーソー杆３３、昇降作動部材３４が互いに係合して形成される。
【００２２】
クレーン４０は、略Ｌ字状のフレーム４５を備える。図２に示すように、フレーム４５は、略対称に分割されたフレーム部品４５ａ，４５ｂがねじ止めして固定されて形成される。フレーム４５は、ゲーム機本体１１から垂直に延びて上下動及び回動自在に設けられる略円筒形状の垂直フレーム４５１と、垂直フレーム４５１の上端から水平方向に延びる略梁状の水平フレーム４５２を備える。水平フレーム４５２の先端には、下方に延びる略円筒形状の接続部４５３を介して略立方体形状のケース部４５４が下垂して形成される。ケース部４５４は、アーム作動杆４４を収容するケースとされる。一方側のフレーム部品４５ａのケース部４５４には、略Ｔ字形の開口部４５４ａが形成される。詳細には、図４，５に示すように、開口部４５４ａは、水平方向の横長開口部４５４ａ１と、この横長開口部４５４ａ１と連続する垂直方向の縦長開口部４５４ａ２とで形成される。
【００２３】
図２の拡大図に詳細に示すように、アーム作動杆４４は、水平板４４ａと、水平板４４ａにおける一方のフレーム部品４５ａ側の端から垂直に立設する一方側垂直板４４ｂと、水平板４４ａにおける他方側のフレーム部品４５ｂ側の端から垂直に立設する他方側垂直板４４ｃを備え、樹脂材料により形成される。水平板４４ａには、下面から円柱状の雌ねじ部４４ａ１が形成される。この雌ねじ部４４ａ１には、ねじ４１ａが螺合して、景品当接部材４１がアーム作動杆４４に固定される（図６，７参照）。景品当接部材４１は厚板円板状に形成され、中央は球状の景品８０と密接するよう球面状凹部とされている（図８、図９参照）。また、一方側垂直板４４ｂは、他方側垂直板４４ｃよりも高さが高く形成される。一方側垂直板４４ｂは、水平板４４ａの一方端から続く切欠き４４ｂ１が形成される。これにより、一方側垂直板４４ｂは弾性力を得ることができる。さらに、切欠き４４ｂ１の上方には、係合解除部とされる突起４４ｂ２が形成される。突起４４ｂ２は、ケース部４５４の縦長開口部４５４ａ２にガイドされる。突起４４ｂ２の両側には、係合部である係合面を下側に向けた段差４４ｂ３が形成される。突起４４ｂ２の上方には、突起４４ｂ２の先端よりも突出していないが突起４４ｂ２の下方側の面よりも突出する段差突出面４４ｂ４が形成される。一方、他方側垂直板４４ｃには、水平方向に横長の長穴４４ｃ１が形成される。
【００２４】
アーム作動杆４４は、一方側垂直板４４ｂの上下方向の両側縁及び他方側垂直板４４ｃの上下方向の両側縁を、ケース部４５４内の上下方向に長いリブ状のガイド（フレーム部品４５ａ側の図示しないガイド部及びフレーム部品４５ｂ側のガイド部４５４ｃ）により上下方向に移動自在にガイドされる。
【００２５】
第１アーム４２及び第２アーム４３は、互いに向かい合う方向に略９０度で屈曲する爪部４２ａ，４３ａが形成されて、球形の景品８０がすくい易いよう各爪部４２ａ，４３ａには凹部が形成される。第１アーム４２及び第２アーム４３の基部には、それぞれ回動支点４２ｂ，４３ｂが形成される。回動支点４２ｂ，４３ｂには、ピン穴が形成されて、回動支点である固定ピン４７ｂ，４７ｃが挿入される。なお、固定ピン４７ｂ，４７ｃは、それぞれフレーム部品４５ａ側及びフレーム部品４５ｂ側におけるケース部４５４内のボス穴（例えば符号４５４ｂ等）により支持される。従って、第１アーム４２及び第２アーム４３は、それぞれ回動支点４２ｂ，４３ｂを中心に回動自在に設けられる。
【００２６】
第１アーム４２及び第２アーム４３の各回動支点４２ｂ，４３ｂから更に各第１アーム４２及び第２アーム４３における上側の端部方向には、それぞれ移動ピン挿入穴４２ｃ，４３ｃが形成される。第１アーム４２の移動ピン挿入穴４２ｃは、長穴状に形成され、第２アーム４３の移動ピン挿入穴４３ｃは、円形の穴として形成される。移動ピン挿入穴４３ｃが形成される部位から上方には、円柱状の支持ボス４３ｃ１が形成される。
【００２７】
図２，６，７に示すように、移動ピン挿入穴４２ｃ，４３ｃと、アーム作動杆４４の他方側垂直板４４ｃにおける長穴４４ｃ１には、移動ピン４７ａが回動自在に挿通されている。このようにして、アーム作動杆４４は、回動支点４２ｂ，４３ｂに対して一方側の第１アーム４２及び第２アーム４３の端部分と回動可能に接続される。
【００２８】
一方、第２アーム４３の移動ピン挿入穴４３ｃが形成される部位に設けられる支持ボス４３ｃ１は、弾性部材であるコイルスプリング４８ａが外周に巻回されるように嵌合される。コイルスプリング４８ａの支持ボス４３ｃ１に対する他端側には、コイルスプリング支持部材４８ｂが設けられる。コイルスプリング支持部材４８ｂは、円板状の固定部４８ｂ１と、固定部４８ｂ１から下方に突出する支持ボス４８ｂ２を有する。支持ボス４８ｂ２はコイルスプリング４８ａに挿入される。固定部４８ｂ１は、ケース部４５４の内部で固定される。具体的には、接続部４５３の内部に横板状に設けられる固定板４５３ａと、ケース部４５４の上面板で挟持され固定される。このようにして、コイルスプリング４８ａは弾発して配置される。従って、コイルスプリング４８ａにより、支持ボス４３ｃ１を介して、移動ピン４７ａ及びアーム作動杆４４が下方に付勢される。そして、第１アーム４２及び第２アーム４３の移動ピン挿入穴４２ｃ，４３ｃ側は、コイルスプリング４８ａにより回動支点４２ｂ，４３ｂ周りに下方に付勢される。従って、アーム（第１アーム４２及び第２アーム４３）は、開方向に付勢される。なお、移動ピン４７ａ及び固定ピン４７ｂ，４７ｃは、軸心が水平フレーム４５２に対して水平方向における直角方向に向けられて配置される。
【００２９】
クレーン４０には、プレート５０が設けられる。プレート５０は、横長の略円形状のプレート本体５０ａと、プレート本体５０ａの背面から突出する縦板状の支持板５０ｂを備える。プレート５０は、フレーム４５の接続部４５３の内部のねじ穴と支持板５０ｂのねじ穴がねじを介して共締めされて、フレーム４５に固定される。プレート本体５０ａの表面には、幼児が楽しめる図柄等を記載しておくことができる。
【００３０】
また、図２等に示す略カップ形状のカバー１２は、穴部を備える固定部１２ｂがカバー１２の本体外周から突出して２箇所に形成されて、ゲーム機本体１１（上本体１１０）の２箇所の固定部１１９にねじで固定される。プレート１３は、略円板状の基部１３ａの外周２箇所に形成される突起１３ａ１をカバー１２の開口部１２ａの切欠き１２ａ１に合致させて回転させることにより、カバー１２に着脱自在に取り付けることができる。
【００３１】
次に、家庭用クレーンゲーム機１０の動作について説明する。先ず、回動機構２０の動作について説明する。図１及び図３に示すＡ方向（すなわち、家庭用クレーンゲーム機１０を上面視した場合における反時計回り方向）にツマミ部２１ａを動かすと、回動レバー２１は支柱２１ｃを中心にＡ方向に回動する。すると、回動連結杆２２が支柱２２ｂを中心にＢ方向（すなわち、家庭用クレーンゲーム機１０を上面視した場合における時計回り方向）に回動する。そして、フレーム固定部材２３が支柱２３ｃを中心にＡ方向に回動されるので、フレーム４５はフレーム固定部材２３と共に垂直フレーム４５１を中心にＡ方向に回動される。従って、クレーン４０はＡ方向に回動される。
【００３２】
ツマミ部２１ａをＢ方向に動かすと、上記とは逆に、クレーン４０はＢ方向に回動される。このようにして、ツマミ部２１ａとクレーン４０の回動の方向は同じとされる。
【００３３】
次に、昇降機構３０の動作について説明する。先ず、昇降ボタン３１をコイルスプリング３２の付勢力に抗して押し込むと、シーソー杆３３が軸部３３ｂを中心にして、他端部３３ｃが上昇するように搖動する。すると、他端部３３ｃにより、昇降作動部材３４の一端部３４ａが持ち上げられて、昇降作動部材３４は軸部３４ｂを中心に搖動する。昇降作動部材３４の一端部３４ａが上昇するので、係合爪部３４ｃが下降する。すると、係合爪部３４ｃにより、フレーム固定部材２３がコイルスプリング４６の付勢力に抗して押し下げられるので、垂直フレーム４５１も下降し、クレーン４０が下降される。
【００３４】
なお、昇降ボタン３１から指を離すと、コイルスプリング４６の付勢力によりクレーン４０、フレーム４５及びフレーム固定部材２３が上昇し、昇降作動部材３４及びシーソー杆３３が搖動して、昇降ボタン３１が上昇する。なお、コイルスプリング３２は、昇降ボタン３１から指を離したときの昇降ボタン３１の上昇を補助する。
【００３５】
景品８０をすくい上げる操作は、先ず、回動レバー２１を操作してクレーン４０を回動させて、図４，６，８に示すように、景品８０の直上に景品当接部材４１を位置させる。なお、第１アーム４２及び第２アーム４３が開いているときは、図６に示すように、アーム作動杆４４の一方側垂直板４４ｂは、ケース部４５４の開口部４５４ａが設けられる壁面の内側面に対向して段差突出面４４ｂ４が一方側垂直板４４ｂの弾発力が生じた状態で当接している。そして、昇降ボタン３１を押下してクレーン４０を下降させ、景品当接部材４１の下面を景品８０に当接させる。
【００３６】
すると、景品当接部材４１及びアーム作動杆４４がコイルスプリング４８ａの付勢力に抗して上昇する。アーム作動杆４４が上昇すると、移動ピン４７ａも上昇するので、第１アーム４２及び第２アーム４３の移動ピン挿入穴４２ｃ，４３ｃの部位が上方に移動する。すると、第１アーム４２及び第２アーム４３は、それぞれ固定ピン４７ｂ，４７ｃを中心として閉じる方向に回動する。また、第１アーム４２及び第２アーム４３が閉じたときには、図７に示すように、アーム作動杆４４が上昇するので、段差突出面４４ｂ４がケース部４５４の開口部４５４ａにおける水平方向の横長開口部４５４ａ１に位置して、一方側垂直板４４ｂが復元して横長開口部４５４ａ１から段差突出面４４ｂ４が突出し、段差４４ｂ３が水平方向の横長開口部４５４ａ１（具体的には、被係合部とされる横長開口部４５４ａ１における縁部上面）に係合する。
【００３７】
このようにして、景品８０は、第１アーム４２及び第２アーム４３が閉じることで、第１アーム４２及び第２アーム４３の爪部４２ａ，４３ａによりすくいあげられる。そして、アーム作動杆４４の段差４４ｂ３が横長開口部４５４ａ１の縁部上面と係合されて、第１アーム４２及び第２アーム４３は閉じた状態が維持されて、景品８０が第１アーム４２及び第２アーム４３により保持される。
【００３８】
そして、景品８０をクレーン４０で保持した状態で、図１のＡ方向にクレーン４０を回動させて、アーム作動杆４４の突起４４ｂ２を解除壁１１２の壁部１１２ａの面に当接させる。すると、アーム作動杆４４の段差４４ｂ３と横長開口部４５４ａ１の縁部上面との係合が解除されて、段差４４ｂ３はケース部４５４内に押し込まれる。すると、コイルスプリング４８ａの付勢力でアーム作動杆４４及び景品当接部材４１が、アーム作動杆４４の水平板４４ａがケース部４５４の下側部分の内面と当接されるまで下方に押し下げられる。アーム作動杆４４及び景品当接部材４１が下降すると、第１アーム４２及び第２アーム４３の移動ピン挿入穴４２ｃ，４３ｃの部位も下方に移動する。従って、第１アーム４２及び第２アーム４３は開く方向に動作する。解除壁１１２の壁部１１２ａの位置で第１アーム４２及び第２アーム４３が開くと、景品８０は景品排出穴１１３に落下して、景品排出口１４に排出される。
【００３９】
このようにして、簡単な操作で景品８０をすくいあげて家庭用クレーンゲーム機１０内から景品８０を取出すことができるので、幼児であってもクレーンゲームを楽しむことができる。そして、電池等の電源を用いて動作するモータ等を用いない家庭用クレーンゲーム機１０のクレーン４０の回動操作や開閉操作を直接的に手指で行うことで、繊細な手指の感覚を養うことができる。
【００４０】
以上、本発明の実施形態を説明したが、本発明は本実施形態によって限定されることはなく、種々の態様で実施することができる。例えば、本実施形態においては、一対の第１アーム４２及び第２アーム４３によりアームを形成したが、一方を開閉方向に回動するアームとして、他方を固定されたアームとすることもできる。
【符号の説明】
【００４１】
１０        家庭用クレーンゲーム機        １１        ゲーム機本体
１２        カバー                        １２ａ      開口部
１２ａ１    切欠き                        １２ｂ      固定部
１３        プレート                      １３ａ      基部
１３ａ１    突起                          １４        景品排出口
１５        開口部                        ２０        回動機構
２１        回動レバー                    ２１ａ      ツマミ部
２１ｂ      接続杆                        ２１ｃ      支柱
２１ｄ      連結杆                        ２１ｄ１    ボス
２１ｅ      補強板                        ２２        回動連結杆
２２ａ      連結穴                        ２２ｂ      支柱
２２ｃ      連結杆                        ２２ｃ１    連結支柱
２３        フレーム固定部材              ２３ａ      連結穴
２３ｂ      固定本体                      ２３ｂ１    穴部
２３ｃ      支柱                          ３０        昇降機構
３１        昇降ボタン                    ３１ａ      スカート部
３１ｂ      支柱                          ３１ｃ      段部
３２        コイルスプリング              ３３        シーソー杆
３３ａ      穴部                          ３３ｂ      軸部
３３ｃ      他端部                        ３３ｃ１    膨出部
３４        昇降作動部材                  ３４ａ      一端部
３４ａ１    膨出部                        ３４ｂ      軸部
３４ｃ      係合爪部                      ４０        クレーン
４１        景品当接部材                  ４１ａ      ねじ
４２        第１アーム                    ４２ａ      爪部
４２ｂ      回動支点                      ４２ｃ      移動ピン挿入穴
４３        第２アーム                    ４３ａ      爪部
４３ｂ      回動支点                      ４３ｃ      移動ピン挿入穴
４３ｃ１    支持ボス                      ４４        アーム作動杆
４４ａ      水平板                        ４４ａ１    雌ねじ部
４４ｂ      一方側垂直板                  ４４ｂ１    切欠き
４４ｂ２    突起                          ４４ｂ３    段差
４４ｂ４    段差突出面                    ４４ｃ      他方側垂直板
４４ｃ１    長穴                          ４５        フレーム
４５ａ      フレーム部品                  ４５ａ１    爪部
４５ｂ      フレーム部品                  ４５ｂ１    爪部
４５ｃ      係合爪部                      ４６        コイルスプリング
４７ａ      移動ピン                      ４７ｂ      固定ピン
４７ｃ      固定ピン                      ４８ａ      コイルスプリング
４８ｂ      コイルスプリング支持部材      ４８ｂ１    固定部
４８ｂ２    支持ボス                      ５０        プレート
５０ａ      プレート本体                  ５０ｂ      支持板
８０        景品                          １１０      上本体
１１１      景品載置部                    １１２      解除壁
１１２ａ    壁部                          １１２ｂ    支持板
１１３      景品排出穴                    １１４      ボス
１１５      ボタン穴                      １１６      軸押え部
１１７      軸押え部                      １１８      円筒ガイド
１１９      固定部                        １２０      下本体
１２１      ボス                          １２２      ボス
１２３      ボス                          １２４      支持柱
１２５      軸支持部                      １２６      軸支持部
１２７      景品排出ガイド                １２８      景品受け
４５１      垂直フレーム                  ４５２      水平フレーム
４５３      接続部                        ４５３ａ    固定板
４５４      ケース部                      ４５４ａ    開口部
４５４ａ１  横長開口部                    ４５４ａ２  縦長開口部
４５４ｃ    ガイド部
【図１】
2018102810.tif 000003
【図２】
2018102810.tif 000004
【図３】
2018102810.tif 000005
【図４】
2018102810.tif 000006
【図５】
2018102810.tif 000007
【図６】
2018102810.tif 000008
【図７】
2018102810.tif 000009
【図８】
2018102810.tif 000010
【図９】
2018102810.tif 000011